(57)【特許請求の範囲】
【請求項１】
冷水を加熱して台所等の一般給湯栓に給湯する給湯器と、
上記給湯器の給湯路から分岐して湯を洗濯機に供給する洗濯湯供給路と、
上記洗濯湯供給路を開閉する湯開閉手段と、
冷水を洗濯機に供給する洗濯水供給路と、
上記洗濯水供給路を開閉する水開閉手段と
を備え、
上記湯開閉手段と上記水開閉手段との両方を開成して洗濯機に混合湯を注湯する湯水同時供給処理と、上記湯開閉手段と上記水開閉手段との何れか一方のみを開成して洗濯機に注湯あるいは注水する湯水片側供給処理とを組み合わせた単位注湯処理をサイクリックに繰り返し行うとともに、上記各単位注湯処理の終了時点で洗濯機に供給された湯の温度が所定温度となるように制御する注湯制御手段を備えた洗濯機注湯装置において、
上記単位注湯処理は、所定の注湯量だけ或いは所定の注湯時間だけ洗濯機に注湯する毎に１回の処理が終了するよう、上記湯水同時供給処理と上記湯水片側供給処理との配分を決定することを特徴とする洗濯機注湯装置。
【請求項２】
洗濯機への注湯動作と一般給湯栓への給湯動作とを同時に行う際には、給湯器の出湯温度は、一般給湯栓への給湯設定温度が優先されることを特徴とする請求項１に記載の洗濯機注湯装置。
【発明の詳細な説明】
【０００１】
【発明の属する技術分野】
本発明は、洗濯機に給湯器からの湯を注湯する洗濯機注湯装置に関する。
【０００２】
【従来の技術】
従来から、給湯器から出湯された湯や浴槽内の残り湯を洗濯機に注湯するための洗濯機注湯装置が知られている。このような洗濯機注湯装置において、例えば、給湯器からの湯により洗濯する場合には、洗濯機注湯装置に接続される注湯リモコンから湯洗い開始操作を行うことにより、給湯器から洗濯機への出湯流路を開閉する電磁弁を開く。そのため洗濯機の水電磁弁が開弁すると、給湯器に通水されて燃焼動作を開始し、設定温度に加熱された湯が洗濯機に供給される。このため特に冬場等の水温が低い場合には、水道水をそのまま供給する場合に比べて洗剤を溶けやすくして汚れ落ちの効果を高くすることができる。
【０００３】
【発明が解決しようとする課題】
しかしながら、給湯器の出湯温度は給湯器に接続される給湯リモコンで設定されるため、給湯リモコンで高温設定された状態で、注湯リモコンにより湯洗い開始操作を行うと、洗濯機には給湯リモコンで設定された高温の湯が供給されてしまう。一般に洗濯機に供給される湯の温度は５０℃以下と指定されており、このような高温の湯が供給されると洗濯機が故障してしまうおそれがあると共に、洗濯物も傷みやすくなる。このため、台所等での給湯と洗濯機への注湯とを同時に行いたい場合には、給湯の設定温度を洗濯機への注湯に適した温度（例えば、４０℃）に変えなければならず、給湯温度を自由に選択することができず使い勝手が悪かった。
しかも、ウールを洗う場合には、３０℃程度の湯を使うことが最も好ましいのであるが、上記のような給湯器で３０℃の出湯を行おうとすると、給湯器の熱交換器でドレンが発生してしまうため、このような低温の湯を洗濯機に注湯することができなかった。尚、従来の給湯器でも湯水混合制御弁を用いて、湯・水の混合比を制御すれば、低温の湯を出湯して洗濯機に注湯することはできるが、器具が高価になってしまうという問題があった。
また、給湯リモコンによって高温設定されている場合には、洗濯機に注湯される高温の湯に冷水を混合させて湯温を下げる洗濯機注湯装置が知られているが、このような洗濯機注湯装置では、単に冷水を混合させているだけであるから、適切な温度の湯を供給することはできなかった。
本発明の洗濯機注湯装置は上記課題を解決し、使い勝手よく洗濯機への注湯と台所等での給湯を同時に行うと共に、良好なウール洗いを可能にすることを目的とする。
【０００４】
【課題を解決するための手段】
上記課題を解決する本発明の請求項１記載の洗濯機注湯装置は、
冷水を加熱して台所等の一般給湯栓に給湯する給湯器と、
上記給湯器の給湯路から分岐して湯を洗濯機に供給する洗濯湯供給路と、
上記洗濯湯供給路を開閉する湯開閉手段と、
冷水を洗濯機に供給する洗濯水供給路と、
上記洗濯水供給路を開閉する水開閉手段と
を備え、
上記湯開閉手段と上記水開閉手段との両方を開成して洗濯機に混合湯を注湯する湯水同時供給処理と、上記湯開閉手段と上記水開閉手段との何れか一方のみを開成して洗濯機に注湯あるいは注水する湯水片側供給処理とを組み合わせた単位注湯処理をサイクリックに繰り返し行うとともに、上記各単位注湯処理の終了時点で洗濯機に供給された湯の温度が所定温度となるように制御する注湯制御手段を備えた洗濯機注湯装置において、
上記単位注湯処理は、所定の注湯量だけ或いは所定の注湯時間だけ洗濯機に注湯する毎に１回の処理が終了するよう、上記湯水同時供給処理と上記湯水片側供給処理との配分を決定することを要旨とする。
【０００６】
また、本発明の請求項２記載の洗濯機注湯装置は、上記請求項１記載の洗濯機注湯装置において、
洗濯機への注湯動作と一般給湯栓への給湯動作とを同時に行う際には、給湯器の出湯温度は、一般給湯栓への給湯設定温度が優先されることを要旨とする。
【０００７】
上記構成を有する本発明の請求項１記載の洗濯機注湯装置は、洗濯湯供給路を通して給湯器で出湯された湯を洗濯機へ供給し、洗濯水供給路を通して冷水を洗濯機へ供給する。洗濯機へ湯を供給する洗濯注湯時には、注湯制御手段が湯水同時供給処理と湯水片側供給処理との配分を制御し、各単位注湯処理の終了時点で洗濯機に供給された湯の温度はあらかじめ決められた所定温度となる。このため給湯器の出湯温度が何℃に設定されていても、洗濯機へは最終的には、あらかじめ決められた所定温度で注湯することができる。すなわち、使用者は、洗濯機へ最適な注湯温度で注湯しながら、給湯器からの出湯温度を自由に設定することができる。
さらに、洗濯湯供給路からの湯と洗濯水供給路からの冷水を混合させることにより、給湯器が出湯可能な最低温度の湯よりも低温の湯を洗濯機に供給できる。
【０００８】
また、上記洗濯機注湯装置は、所定の注湯量だけ或いは所定の注湯時間だけ洗濯機に注湯する毎に、洗濯機への注湯温度はあらかじめ決められた所定温度となり、この単位注湯処理を繰り返すという簡単な制御で洗濯に必要な量の湯を供給する。
【０００９】
また、本発明の請求項２記載の洗濯機注湯装置は、一般給湯栓への給湯動作と洗濯機への注湯動作とを同時におこなっても、一般給湯栓への給湯設定温度どおりに給湯器から出湯される。
【００１０】
【発明の実施の形態】
以上説明した本発明の構成・作用を一層明らかにするために、以下本発明の洗濯機注湯装置の好適な実施形態について説明する。
【００１１】
図１は、本発明の一実施形態としての洗濯機注湯機能付風呂給湯器１（以下、単に給湯器１と呼ぶ）の概略構成図である。この給湯器１は、大別すると循環加熱部４０と給湯部５０と洗濯注湯制御部６０とから構成される。
【００１２】
循環加熱部４０は、浴槽水を加熱する風呂熱交換器４２と、浴槽水を風呂熱交換器４２へ送る戻し管４６と、風呂熱交換器４２で加熱された浴槽水を浴槽２０へ送る往き管４７とで循環加熱回路を形成すると共に、戻し管４６と往き管４７とを繋ぎ風呂熱交換器４２を迂回する風呂バイパス管３４を備える。
この戻し管４６には、上流側から順に、追い焚き前の湯温を検知する風呂入水サーミスタ２４、浴槽水を循環させる循環ポンプ２２、この循環水の流れを確認する流水スイッチ２３が設けられる。一方、往き管４７には、風呂熱交換器４２の近傍に追い焚き後の湯温を検知する風呂出湯サーミスタ２５が設けられる。風呂熱交換器４２は、風呂燃焼室４９上部に設けられ、風呂バーナ４１により加熱される。
【００１３】
給湯部５０は、水道管に接続される給水管５６と、給水管５６から供給される水を加熱する給湯熱交換器５２と、給湯熱交換器５２で加熱された湯を送り出す流路となる出湯管５７とを備え、給湯熱交換器５２は、給湯燃焼室５９上部に設けられ、給湯バーナ５１により加熱される。尚、給湯バーナ５１は、燃焼能力の異なる３組のバーナからなり、燃焼量に応じて燃焼するバーナが切替えられる。
給水管５６には、上流から順に、入水量を検知する流量センサ２６、入水温を検知する給湯入水サーミスタ２７、設定湯温が得られるように通水流量を調整するモータ駆動式の水量制御弁２８が設けられ、出湯管５７には、熱交換後の湯温を検知する給湯熱交換器出口サーミスタ１２が設けられる。
【００１４】
給水管５６と出湯管５７との間には、給湯熱交換器５２を迂回する給湯バイパス管３６が接続され、この給湯バイパス管３６を開閉するバイパス弁１４が設けられる。この給湯バイパス管３６との接続箇所より下流側の出湯管５７には、給湯バイパス管３６を通過する水と熱交換後の湯との混合湯の温度を検知する給湯出湯サーミスタ１５が設けられ、そのさらに下流で、台所等の給湯カラン２１（一般給湯栓）に連通する一般給湯配管３７と接続される。また、浴槽２０へ給湯するための落とし込み管３０が給湯出湯サーミスタ１５より下流の出湯管５７から分岐して設けられる。落とし込み管３０は、給湯部５０と循環加熱部４０とを接続するもので、上流側から順に、落とし込み管３０を開閉する落とし込み電磁弁３１、給湯部５０から循環加熱部４０への流量を検知する落とし込み流量センサ３２、逆流を防止する２個の逆止弁３３が設けられる。
【００１５】
給湯部５０と循環加熱部４０とには、それぞれ燃焼用空気の供給路となる共通の給気ダクト３５が設けられ、ファンモータ１９により駆動する１つのファン１８により空気が風呂燃焼室４９と給湯燃焼室５９とに同時に供給される。また、ガス流路は、その上流側から順に、ガス流路を開閉する元電磁弁１０、通電量に応じたガス量に制御する比例弁１１が設けられ、その下流側で給湯側ガス流路と風呂側ガス流路とに分岐する。給湯側には、３組のバーナへのガス流路を独立して開閉する給湯ガス電磁弁５５がそれぞれ設けられ、各々独立した燃焼制御が行われる。一方、風呂側には、風呂側ガス流路を開閉する風呂ガス電磁弁４５が設けられる。
風呂バーナ４１、給湯バーナ５１には、イグナイタ１３の動作によりガスへ着火する電極４３，５３、燃焼炎を検知するフレームロッド４４，５４が設けられ、前記のセンサ類・アクチュエータ類と共にコントローラ９と電気的に接続され出湯・追い焚き等所定の制御が行われる。このコントローラ９は、マイコンを主要部として構成され、給湯動作を外部操作する給湯リモコン５８と風呂動作を外部操作する風呂リモコン４８とが接続される。
【００１６】
給湯リモコン５８は設定温度を３８〜４８℃の範囲及び５０℃、６０℃といった値に設定することができる。そして、コントローラ９は、給湯部５０の出湯温度を給湯リモコン５８で設定された設定温度に近づけるように給湯バーナ５１の燃焼量を制御するといった出湯温制御を行う。
【００１７】
洗濯注湯制御部６０は、給湯部５０の水量制御弁２８よりも下流側の給水管５６に接続される水供給管６１と、落とし込み管３０を介して出湯管５７に連通する湯供給管６２とを備え、それぞれの流路を開閉する給水電磁弁６３と給湯電磁弁６４とを備える。湯供給管６２には、逆流を防止するための逆止弁２が設けられる。
水供給管６１と湯供給管６２とはそれぞれの電磁弁の下流側で合流し、主供給管６５に接続される。主供給管６５には、供給された湯や水の逆流を防止する２個の逆止弁３と、洗濯機９０への注湯量を検知する注湯用流量センサ４が設けられる。
【００１８】
主供給管６５には、浴槽水を洗濯機９０へ供給するための浴槽水供給管６６が接続され、この浴槽水供給管６６は循環加熱部４０の往き管４７に接続される。
往き管４７の浴槽水供給管６６への分岐部には、浴槽水の流路を浴槽２０側あるいは洗濯機９０側のどちらかへ切替える切替弁６７が設けられる。また、図１において、切替弁６７が閉の位置にある場合が、浴槽水の流路が浴槽２０側に切替えられた状態（状態ａ）であり、切替弁６７が開の位置にある場合が、浴槽水の流路が洗濯機９０側に切替えられた状態（状態ｂ）である。尚、図１における矢印ａ，ｂは、それぞれ状態ａ，ｂの場合の浴槽水の流れの向きを表している。そして、主供給管６５は、浴槽水供給管６６との接続部より下流側で洗濯機９０に注湯するための注湯管９２に接続される。
また、注湯モードの切替え等の外部操作を行うための注湯リモコン６８が設けられ、この注湯リモコン６８はコントローラ９と接続される。
【００１９】
注湯リモコン６８は、図２に示すように、洗濯機９０の洗い動作時の注湯モードを選択する洗いモードスイッチ７１と、すすぎ動作時の注湯モードを選択するすすぎモードスイッチ７２と、選択された注湯モード等を表示するための表示パネル７３と、注湯動作を開始させるためのスタートスイッチ７４とを備える。洗い操作時の注湯モードとしては、浴槽２０の残り湯をそのまま洗濯機９０に供給する残り湯洗いモードと、浴槽２０の残り湯を風呂熱交換器４２で４０℃に加熱して供給する残り湯加熱洗いモードと、湯供給管６２からの湯と水供給管６１からの冷水とを混合し４０℃の混合湯として供給する湯洗いモードと、水供給管６１からの冷水をそのまま供給する水洗いモードと、湯供給管６２からの湯と水供給管６１からの冷水とを混合し３０℃の混合湯として供給するウール用湯洗いモードの５種類があり、すすぎモード時は、湯（４０℃）すすぎモードと水すすぎモードの２種類がある。
【００２０】
ここで水洗いモード、残り湯洗いモード、湯（ウール用を含む）洗いモードのそれぞれの注湯制御について説明する。尚、水すすぎモードと湯すすぎモードとの注湯制御は、それぞれ水洗いモードと湯洗いモードとの注湯制御と同様である。
水洗いモードでは、給湯電磁弁６４を閉弁し、切替弁６７を状態ａに切替えて、給水電磁弁６３を開弁する。このため、洗濯機９０に設けられた水電磁弁９１が開弁すると、水道管からの水が、給水管５６、水供給管６１、主供給管６５、注湯管９２を流れて洗濯機９０に供給される。
【００２１】
残り湯洗いモードでは、給水電磁弁６３、給湯電磁弁６４を閉弁し、切替弁６７を状態ｂに切替えて、循環ポンプ２２を駆動させる。このため、洗濯機９０に設けられた水電磁弁９１が開弁すると、浴槽２０内の残り湯は、戻し管４６、往き管４７、浴槽水供給管６６、主供給管６５、注湯管９２を流れて洗濯機９０に供給される。
また、残り湯加熱洗いモードの場合は、上記のようにして残り湯を洗濯機９０に供給する途中で、風呂熱交換器４２を通過する際に、風呂バーナ４１によって加熱し供給するものである。尚、風呂熱交換器４２を通過した残り湯の温度が４０℃となるように、コントローラ９によって風呂バーナ４１の燃焼が制御される。
【００２２】
湯洗い（ウール用湯洗いも含む）モードでは、切替弁６７を状態ａに切替えて、給湯電磁弁６４と給水電磁弁６３を同時に開弁し（本発明の湯水同時供給処理）、その後どちらか一方だけを開弁する（本発明の湯水片側供給処理）。このような行程を１サイクル（本発明の単位注湯処理）とし、１サイクルを完了した時点で洗濯機に注湯された湯の温度が注湯目標温度（湯洗いモード：４０℃、ウール用湯洗いモード：３０℃）となるようにコントローラ９が、給湯電磁弁６４と給水電磁弁６３とを開閉制御する。そして、このサイクルを繰り返すことによって所望の注湯量を得る。
ここで、給湯電磁弁６４を開弁した場合の洗濯機９０への注湯順路について説明する。給湯電磁弁６４を開弁した状態で、洗濯機９０の水電磁弁９１が開弁すると、給湯部５０に通水されて給湯バーナ５１の燃焼動作を開始し、加熱された湯が出湯管５７、落とし込み管３０、湯供給管６２、主供給管６５、注湯管９２を流れて洗濯機９０に供給される。
従って、給湯電磁弁６４と給水電磁弁６３とを同時に開弁すると主供給管６５に湯と水が同時に供給され混合され、混合された湯は注湯管９２を通って洗濯機９０に供給される。
【００２３】
次に、ウール用湯洗いモードにおけるコントローラ９の行う制御処理について、図３のフローチャートを用いて説明する。尚、ウール用湯（３０℃）洗いモードと湯（４０℃）洗いモードとの制御の違いは、洗濯機９０への注湯温度を３０℃にするか４０℃にするかの違いだけである。
ウール用湯洗いモードが選択された状態で、スタートスイッチ７４が押されると（Ｓ１）、切替弁６７を状態ａに切替え、給水電磁弁６３を開弁する（Ｓ２）。ここで、給水電磁弁６３を開弁したにもかかわらず注湯用水量センサ４により通水が検出されない場合（Ｓ３：ＮＯ）には、洗濯機９０の水電磁弁９１が閉弁していると考えられるため、洗濯機９０による洗い動作が開始されるまでの所定時間（例えば、１８時間）待機する（Ｓ４）。尚、注湯用水量センサ４による通水の検出は、注湯用水量センサ４が２．５リットル／分以上の流量を３秒間検出したかどうかで決定している。
ここで長時間待機するのは、全自動洗濯機の予約タイマーによる使用が考えられるためである。そして、所定時間経過しても通水が検出されない場合には（Ｓ４：ＹＥＳ）、使用者の誤操作であったと判断し、給水電磁弁６３を閉じて（Ｓ５）制御を終了する。
【００２４】
一方、ステップ３において通水が検出された場合には、洗濯機９０の水電磁弁９１が開弁して洗い動作が開始されたと判断し、ステップ６に進む。ステップ６では、台所等の給湯カラン２１に出湯するために給湯部５０が使用中かどうかを判断する。給湯部５０が使用中でない場合（Ｓ６：ＮＯ）は、給湯部５０の出湯温度を４０℃に設定して、給湯電磁弁６４を開弁する（Ｓ７）。ここで、出湯温度を４０℃と設定するのは、給湯熱交換器５２にドレンが発生する問題があるために給湯部５０では、３０℃のような低温の湯を出湯することができないためである。尚、後述するように給湯部５０が使用中の場合には、出湯温度は給湯側での設定温度が優先される。
そして、１サイクルにおける供給すべき湯量と水量とを、給湯入水サーミスタ２７で検出された水温（Ｔ２）と給湯出湯サーミスタ１５で検出された出湯温（Ｔ３）とから演算する（Ｓ８）。本実施形態では、１サイクルで１０リットルの混合湯が洗濯機９０に注湯されるように制御される。
【００２５】
ここで上記の演算方法について述べる。給水電磁弁６３と給湯電磁弁６４とを同時に開弁した際の混合湯の湯量をＱ１、その湯温をＴ１とし、給水電磁弁６３と給湯電磁弁６４とを同時に開弁した際の混合湯量に対する水量の比を水比率（η）とする。尚、水比率（η）は器具によって決まる定数である。水と湯を同時に供給した後に、水か湯のどちらを供給するかは、式（１）によって決定され、Ｔ１が３０℃未満であれば給湯電磁弁６４を開弁して湯を供給し、３０℃以上であれば給水電磁弁６３を開弁して水を供給する。
Ｔ１＝η×Ｔ２＋（１−η）×Ｔ３・・・・・・（１）
そして、この際の混合湯量Ｑ１は、式（２）で求まる。
Ｑ１＝｛３０℃×１０リットル−（Ｔ２  ｏｒ  Ｔ３）×１０リットル｝／｛Ｔ１−（Ｔ２  ｏｒ  Ｔ３）｝・・・・・・（２）
水と湯を同時に供給した後に、水を導入する場合には、Ｔ２を代入し、湯を導入する場合にはＴ３を代入する。そして、水と湯を同時に供給した後に、供給される水あるいは湯の量Ｑ２は、式（３）によって求まる。
Ｑ２＝１０リットル−Ｑ１・・・・・・（３）
【００２６】
そして、ステップ９において上記の演算方法によって計算された混合湯量Ｑ１が洗濯機９０に供給されたことが注湯用流量センサ４で検出される（Ｓ９：ＹＥＳ）と、上記演算結果に基づいて、給湯電磁弁６４か給水電磁弁６３のどちらかが閉弁される（Ｓ１０）。そして、洗濯機９０に供給される湯あるいは水の量がＱ２となったことが注湯用流量センサ４で検出される（Ｓ１１：ＹＥＳ）と給水電磁弁６３が開弁状態になり、給湯電磁弁６４が閉弁状態にされて（Ｓ１２）、１サイクルが終了する。そして、ステップ６に戻って所望の注湯量となるまでこのサイクルが繰り返されて、ウール洗いに最適な３０℃の湯が洗濯機９０に供給される。
【００２７】
混合湯量Ｑ１の注湯中においては、常時注湯用流量センサ４で通水を検出しており、通水が検出されない状態（２．５リットル／分以下）になるたびに、その通水停止時間をカウント積算していき、その積算時間が所定時間（本実施形態では３分間）をこえた時点で（Ｓ１３：ＹＥＳ）、洗濯機９０への洗い用注湯動作が終了したと判断して給湯電磁弁６４及び給水電磁弁６３を閉じ（Ｓ１４）、洗濯機９０のすすぎ動作に対応した注湯制御を行うためのすすぎモードへ移る（Ｓ１５）。
また、湯あるいは水量Ｑ２を注湯中においても、常時注湯用流量センサ４で通水を検出しており、通水停止時間をカウント積算していき、その積算時間が所定時間（本実施形態では３分間）をこえた時点で（Ｓ１６：ＹＥＳ）、洗濯機９０への洗い用注湯動作が終了したと判断して給湯電磁弁６４あるいは給水電磁弁６３を閉じ（Ｓ１７）、洗濯機９０のすすぎ動作に対応した注湯制御を行うためのすすぎモードへ移る（Ｓ１５）。
尚、給湯熱交換器５２への通水が停止中は、給湯バーナ５１の燃焼は停止し、通水再開により燃焼も再開される。
【００２８】
一方、ステップ６で台所等の給湯カラン２１に出湯するために給湯部５０が使用中であると判断された場合にも、給湯電磁弁６４が開弁される（Ｓ１８）。そして、給湯部５０の出湯温度が５０℃未満に設定されている場合（Ｓ１９：ＮＯ）には、その設定温度を優先したまま、ステップ８に移行して、上述した演算方法で１サイクルにおける供給すべき湯量と水量とが計算される。そして、計算された値に基づいて上述したようにサイクルが繰り返され、給湯部５０での出湯温度を変えることなく、ウール洗いに最適な３０℃の湯が洗濯機９０に供給される。
また、出湯温度が５０℃以上に設定されており（Ｓ１９：ＹＥＳ）、かつ入水温が１７℃未満の場合（Ｓ２０：ＮＯ）には、給湯電磁弁６４と給水電磁弁６３を同時に開け続ける。また、入水温が１７℃以上の場合（Ｓ２０：ＹＥＳ）には、給湯電磁弁６４を閉じて（Ｓ２２）、給水電磁弁６３のみを開け続ける。このため、５０℃以上の高温の出湯温が設定されている場合に、高温の湯がそのまま洗濯機９０に供給されて衣類を傷めてしまうといった不具合が生じることはない。
そして、注湯用流量センサ４で通水が検出されない状態（２．５リットル／分以下）の積算時間が所定時間（本実施形態では３分間）をこえた時点で（Ｓ２１：ＹＥＳ）、洗濯機９０への洗い用注湯動作が終了したと判断して開弁している給水電磁弁６３及び給湯電磁弁６４を閉じ（Ｓ１４）、洗濯機９０のすすぎ動作に対応した注湯制御を行うためのすすぎモードに移る（Ｓ１５）。
【００２９】
また、湯（４０℃）洗いモードにおけるコントローラ９の制御処理は、上述したウール用湯（３０℃）洗いモードの制御処理とほぼ同様である。異なる箇所は、ステップ８における演算が４０℃の注湯温度となるように変化するのと、ステップ２０の入水温度の判断が１７℃から２７℃に変わるところだけである。尚、給湯部５０が未使用時には、給湯部５０から出湯される湯は４０℃に設定されるので、給水電磁弁６３は極短時間しか開弁しないように制御されることになる。
また、給湯カラン２１に出湯するために給湯部５０が使用時には、洗濯注湯制御部６０に供給される湯温は給湯リモコン５８で設定された温度であるが、洗濯機９０へは洗濯注湯制御部６０で温度調節された湯が供給される。従って、給湯リモコン５８で、例えば５０℃のような高温の出湯温度の設定がなされていても、洗濯機９０へは、そのような高温の湯が直接供給されてしまうことはない。
【００３０】
洗いモードが終了するとすすぎモードに移行する。水すすぎモードでは、切替弁６７を状態ａにしたまま、給水電磁弁６３を開弁する。このため、洗濯機９０の水電磁弁９１が開弁すると洗濯機９０に水が供給される。そして、水すすぎモードに移行してから２時間が経過した時点で洗濯機９０のすすぎ動作が終了したと判断して制御を終了する。
湯すすぎモードでは、切替弁６７を状態ａにしたまま、上述した湯洗いモードと同様の制御によって洗濯機９０に４０℃の湯が供給される。そして、湯すすぎモードに移行してから２時間が経過した時点で洗濯機９０のすすぎ動作が終了したと判断して制御を終了する。
【００３１】
以上説明したように、洗濯機注湯機能付風呂給湯器１では、給湯電磁弁６４と給水電磁弁６３とを同時に開弁し（本発明の湯水同時供給処理）、その後、給水電磁弁６４と給湯電磁弁６３のどちらか一方だけを開弁する（本発明の湯水片側供給処理）ことを１サイクル（本発明の単位注湯処理）とし、この１サイクルで所定の注湯温度となるように制御しているため、給湯部５０で、湯水混合制御弁を用いて湯・水の混合比を制御しなくても、低温の湯を洗濯機９０へ注湯することが可能となる。従って、ウールを洗濯するのに最適な３０℃という低温の湯を簡単な構成で注湯でき、良好なウール洗いが安価に実施可能となる。
また、給湯部５０から出湯された湯をそのまま洗濯機９０に注湯するのではなく、洗濯注湯制御部６０で給水管５６からの水と混合して注湯するので、給湯設定温度が何℃であっても、常に最適な温度（４０℃あるいは３０℃）の湯を注湯できる。しかも、給湯設定温度が５０℃以上の場合には、注湯温度を所定の温度にする制御は行わず、給水電磁弁６３が開弁しっぱなしにされるので、所定の温度の湯を注湯することはできないものの、高温の湯がそのまま洗濯機９０に注湯されて衣類を傷めてしまうことを防止できる。従って、給湯リモコン５８で高温設定されていることに使用者が気付かずに、注湯リモコン６８により湯洗い開始操作をおこなっても高温の湯が洗濯機９０に注湯されることを防止できる。
そして、給湯カラン２１（一般給湯栓）への給湯と洗濯注湯とを同時に行った場合には、給湯部５０から出湯される湯温は、給湯リモコン５８で設定した温度が優先されるので、洗濯機９０へ注湯しながら、台所等で湯を使う場合に自由に給湯温度を設定できるので使い勝手がよい。
さらに、水と湯を同時に供給した後に、水あるいは湯を供給する順で１サイクルを構成しているので、逆の順番で１サイクルを構成した場合と比較して、高温の湯が供給される場合にウール等の洗濯物が傷む可能性を抑えることができる。
【００３２】
また、従来の器具では、洗濯注湯制御部６０を風呂付給湯器とは、別体のユニットとして、風呂付給湯器に外付けする洗濯機注湯装置としているため、水供給路６１を水量制御弁２８よりも上流側である水道管等に接続しなければならず、水供給管６１と湯供給管６２とにかかる水圧が変化してしまい、水比率（η）が器具による定数とならない。このため、上述したような制御によって洗濯に最適な温度の湯をつくろうとすると、混合湯温（Ｔ１）を計算によって求めることができないので、Ｔ１を測定するサーミスタが必要となってしまう。これに対して、本実施形態のように、洗濯注湯制御部６０を給湯器１に内蔵すると水供給管６１と湯供給管６２とを共に、水量制御弁２８よりも下流側の給水管５６あるいは出湯管５７から分岐して設けることができるため、給水電磁弁６３と給湯電磁弁６４とを同時に開弁した際に主供給管６５に供給される水量と湯量の比、すなわち水比率（η）が常に一定となる。従って、主供給管６５で混合された混合湯の温度Ｔ１を入水温Ｔ２と出湯温Ｔ３から求めることができるので、混合湯温Ｔ１を検出するためのサーミスタを設ける必要がなく、コストを抑えることができる。
【００３３】
さらに、洗濯注湯制御部を風呂付給湯器に内蔵した器具としては、従来から、冷水や湯を循環加熱部の往き管や戻し管を介して洗濯機に注湯するものが知られている。この場合には、風呂熱交換器を冷水が通過する際に雰囲気中の水蒸気が凝縮し風呂熱交換器を腐食したり、下方のバーナに滴下して炎口つまりの原因となる不具合があった。また、往き管や戻し管を通過する際に圧損も大きくなっていた。これに対して、本実施形態の洗濯機注湯機能付風呂給湯器１では、冷水や湯は、往き管や戻し管とは、別の流路を通過するので上記のような問題も生じない。
【００３４】
以上本発明の実施形態について説明したが、本発明はこうした実施形態に何等限定されるものではなく、本発明の要旨を逸脱しない範囲において、種々なる態様で実施し得ることは勿論である。
例えば、本実施形態の洗濯機注湯装置では、給湯電磁弁６４と給水電磁弁６３とを同時に開弁し、その後、どちらか一方だけを開弁する１サイクルを、所定の注湯量（例えば１０リットル）だけ洗濯機９０に注湯する毎に１サイクル（単位注湯処理）が終了するように、給水電磁弁６３と給湯電磁弁６４とを同時に開弁する湯水同時供給処理と、給水電磁弁６３と給湯電磁弁６４のどちらか一方だけを開弁する湯水片側供給処理との配分を決定するようにしているが、所定の注湯時間だけ注湯する毎に１サイクルが終了するように湯水同時供給処理と湯水片側供給処理との配分を決定するようにしても構わない。この場合のウール用洗いモードにおけるコントローラ９の行う制御処理について図４のフローチャートを用いて説明する。尚、所定の注湯量だけ注湯する毎に１サイクルが終了するようにしている場合と異なる制御についてのみ説明する。
ステップ８０では、１サイクルにおける給水電磁弁６３と給湯電磁弁６４とを同時に開弁すべき時間Ａ１と、給水電磁弁６３あるいは給湯電磁弁６４のどちらか一方だけを開弁すべき時間Ａ２を演算する。尚、本実施形態では、１サイクルは、６０秒で行われるように制御される。
【００３５】
水と湯を同時に供給した後に、水か湯のどちらを供給するかは、式（４）によって決定され、Ｔ１が３０℃未満であれば給湯電磁弁６４を開弁して湯を供給し、３０℃以上であれば給水電磁弁６３を開弁して水を供給する。
Ｔ１＝η×Ｔ２＋（１−η）×Ｔ３・・・・・・（４）
そして、この際の同時開弁時間Ａ１は、式（５），（６）で求まる。
Ａ１＝｛（Ｔ２−３０℃）×η×６０秒｝／｛（３０℃−Ｔ１）＋（Ｔ２−３０℃）×η｝・・・・・・（５）
Ａ１＝｛（Ｔ３−３０℃）×（１−η）×６０秒｝／｛（３０℃−Ｔ１）＋（Ｔ３−３０℃）×（１−η）｝・・・・・・（６）
水と湯を同時に供給した後に、水を導入する場合には、式（５）を用い、湯を導入する場合には、式（６）を用いる。そして、片側開弁時間Ａ２は、式（７）によって求まる。
Ａ２＝６０秒−Ａ１・・・・・・（７）
【００３６】
そして、ステップ９０において上記の演算方法によって計算された同時開弁時間Ａ１の間、給水電磁弁６３と給湯電磁弁６４を同時に開弁して、水と湯を同時に供給し、同時開弁時間Ａ１の注湯が完了すると（Ｓ９０：ＹＥＳ）、上記演算結果に基づいて、給湯電磁弁６４か給水電磁弁６３のどちらかを閉弁する（Ｓ１０）。そして、片側開弁時間Ａ２の間、給水電磁弁６３或いは給湯電磁弁６４のどちらかを開弁し、片側閉弁時間Ａ２の注湯（水）が完了すると（Ｓ１１０：ＹＥＳ）、給水電磁弁６３を開弁状態、給湯電磁弁６４を閉弁状態にして（Ｓ１２）、１サイクルを終了する。そして、ステップ６に戻って所望の注湯量となるまでこのサイクルを繰り返し、ウール洗いに最適な３０℃の湯を洗濯機９０に供給する。
【００３７】
また、洗濯注湯制御部６０を風呂付給湯器とは、別体のユニットとして、風呂付給湯器に外付けする洗濯機注湯装置としてもかまわない。この場合には、水比率（η）を検出するための検出手段、例えば、主供給管６５に混合湯温（Ｔ１）を測定するためのサーミスタなどを設ける方が好ましい。
【００３８】
【発明の効果】
以上詳述したように、本発明の請求項１の洗濯機注湯装置によれば、洗濯機へ最適な注湯温度で注湯しながら、給湯器の一般給湯栓への出湯温度を自由に設定して、台所等で好きな温度で湯を使うことができるため使い勝手が良い。さらに、使用者の不注意による洗濯機への高温湯の注湯を防止できる。
加えて、給湯器で湯水混合制御弁を用いて湯・水の混合比を制御することなしに、簡単な構成で低温の湯を洗濯機に注湯できるので、良好なウール洗いが安価に実施できる。
【００３９】
更に、本発明の請求項１記載の洗濯機注湯装置によれば、注湯温度制御を容易に行うことができる。
【００４０】
更に、本発明の請求項２記載の洗濯機注湯装置によれば、一般給湯栓への給湯動作中に注湯動作を行っても、給湯器から出湯される湯の温度が変わらないので使い勝手が良い。
【図面の簡単な説明】
【図１】本実施形態としての洗濯機注湯機能付風呂給湯器の概略構成図である。
【図２】注湯リモコンの外観図である。
【図３】ウール用湯及び湯洗いモードにおけるコントローラの行う制御処理を表すフローチャートである。
【図４】ウール用湯及び湯洗いモードにおけるコントローラの行う制御処理を表すフローチャートである。
【符号の説明】
９…コントローラ、２１…給湯カラン、２８…水量制御弁、５０…給湯部、５１…給湯バーナ、５２…給湯熱交換器、５６…給水管、５７…出湯管、６０…洗濯注湯制御部、６１…水供給管、６２…湯供給管、６３…給水電磁弁、６４…給湯電磁弁、６５…主供給管、６８…注湯リモコン、９０…洗濯機、９２…注湯管。
【図１】
0004556040.tif 000002
【図２】
0004556040.tif 000003
【図３】
0004556040.tif 000004
【図４】
0004556040.tif 000005